(57)【要約】【課題】インダクタを配置するための必要面積を小さく保ちつつ、電磁誘導で信号の送受信を良好に行う。【解決手段】一面にインダクタ１１４が形成された半導体装置１００に、半導体装置１００のインダクタ１１４に対応する位置に設けられた外部インダクタ２０４を含む外部装置（２００）から信号の送受信を行う。この手順は、少なくとも半導体装置１００のインダクタ１１４と外部装置２００の外部インダクタ２０４との間に強磁性体の微粒子を含む強磁性体膜１３０を配置し、強磁性体膜１３０を介してインダクタ１１４と外部インダクタ２０４とを対向配置させる工程と、インダクタ１１４と外部インダクタ２０４とを対向配置させた状態で、インダクタ１１４と外部インダクタ２０４との間で電磁誘導で信号の送受信を行う工程と、を含む。【選択図】図６
2010160142.tif 000002
【特許請求の範囲】
【請求項１】
一面にインダクタが形成された半導体装置に、前記半導体装置の前記インダクタに対応する位置に設けられた外部インダクタを含む外部装置から信号の送受信を行う信号送受信方法であって、
少なくとも前記半導体装置の前記インダクタと前記外部装置の前記外部インダクタとの間に強磁性体の微粒子を含む強磁性体膜を配置し、当該強磁性体膜を介して前記インダクタと前記外部インダクタとを対向配置させる工程と、
前記インダクタと前記外部インダクタとを対向配置させた状態で、前記インダクタと前記外部インダクタとの間で電磁誘導で前記信号の送受信を行う工程と、
を含む信号送受信方法。
【請求項２】
請求項１に記載の信号送受信方法において、
前記インダクタと前記外部インダクタとを対向配置させる工程において、前記インダクタと前記外部インダクタとをそれぞれ前記強磁性体膜に接して対向配置させる信号送受信方法。
【請求項３】
請求項１または２に記載の信号送受信方法において、
前記半導体装置は、半導体チップ形成領域を有する基板と、前記基板の前記半導体チップ形成領域内に設けられたチップ内部回路とをさらに含み、前記インダクタは前記半導体チップ形成領域内に前記チップ内部回路に電気的に接続して設けられ、
前記外部インダクタと前記インダクタとの間で送受信される前記信号は、前記チップ内部回路をテストするためのテスト信号である信号送受信方法。
【請求項４】
基板、前記基板上に設けられた絶縁膜、および前記絶縁膜の前記基板と対向する面と反対側の一面に設けられたインダクタを含む半導体装置と、前記半導体装置の前記インダクタに対応する位置に設けられた外部インダクタを含む外部装置とを対向配置し、少なくとも前記半導体装置の前記インダクタと前記外部装置の前記外部インダクタとの間に強磁性体の微粒子を含む強磁性体膜を配置し、当該強磁性体膜を介して前記インダクタと前記外部インダクタとを対向配置させる工程と、
前記インダクタと前記外部インダクタとを対向配置させた状態で、前記インダクタと前記外部インダクタとの間で電磁誘導で信号の送受信を行う工程と、
を含む半導体装置の製造方法。
【請求項５】
請求項４に記載の半導体装置の製造方法において、
前記インダクタと前記外部インダクタとを対向配置させる工程の前に、前記半導体装置の少なくとも前記インダクタ上に前記強磁性体膜を形成する工程をさらに含む半導体装置の製造方法。
【請求項６】
請求項４または５に記載の半導体装置の製造方法において、
前記半導体装置は、前記絶縁膜の前記一面に設けられたボンディングパッドをさらに含み、
前記信号の送受信を行う工程の後に、前記ボンディングパッドと外部の端子とをボンディングワイヤにより接続する工程をさらに含む半導体装置の製造方法。
【請求項７】
請求項６に記載の半導体装置の製造方法において、
前記強磁性体膜を形成する工程において、前記ボンディングパッド上にも前記強磁性体膜が形成され、
前記信号の送受信を行う工程の後に、少なくとも前記半導体装置の前記ボンディングパッド上に形成された前記強磁性体膜を除去する工程をさらに含む半導体装置の製造方法。
【請求項８】
基板と、
前記基板上に設けられた絶縁膜と、
前記絶縁膜の前記基板と対向する面と反対側の一面に設けられたインダクタと、
前記絶縁膜上において、少なくとも前記インダクタ上に形成され、強磁性体の微粒子を含む強磁性体膜と、
を含む半導体装置。
【請求項９】
請求項８に記載の半導体装置において、
前記絶縁膜の前記一面に設けられたボンディングパッドをさらに含み、
前記強磁性体膜は、前記ボンディングパッドが形成された領域にのみ選択的に形成されていない半導体装置。
【請求項１０】
一面にインダクタが設けられた半導体装置をテストするためのテスタ装置であって、
基体と、
前記基体の一面に形成され、前記半導体装置の前記インダクタに対応する位置に設けられた外部インダクタと、
少なくとも前記外部インダクタ上に形成され、強磁性体の微粒子を含む強磁性体膜と、
を含むテスタ装置。
【発明の詳細な説明】
【技術分野】
【０００１】
本発明は、信号送受信方法、半導体装置の製造方法、半導体装置、およびテスタ装置に関する。
【背景技術】
【０００２】
近年、無線通信によりデータの交信を行う半導体装置が知られている。
特許文献１（特開２００５−３０８７７号公報）には、半導体集積回路装置内に内蔵テスト回路および無線通信回路を搭載し、無線信号により内蔵テスト回路を制御しテストを実施する技術が記載されている。
【０００３】
ところで、従来、半導体装置のウェハレベルでの内部回路を試験するために、半導体装置のチップ表面のパッドにプローブを用いて探針して電源を与えたり、信号を送受信して観測したりすることが行われている。しかし、プローブテスト中にプローブの針によりパッドに傷がつき、後にパッドをボンディングする際の接続が不良になったり、パッドが削られてくずが発生して汚染が生じる等の問題があった。また、チップサイズの縮小および１チップ当たりのパッド数の増加とともに、パッドサイズおよびパッド間ピッチも小さくなってきており、多数のパッドに対応する多数のプローブ針を当てて良好に電気的な接続をすることが困難になってきている。このような問題を避けるべく、内部回路への信号の送受信をプローブ針を用いることなく行うことが望まれる。
【０００４】
特許文献２（特開２００３−３４４４４８号公報）には、半導体チップ上のモニタしようとする信号線に、相対向するように配置可能に構成され、信号線の電圧変化を静電誘導による誘起電圧として検出するセンサ電極を具備した電圧プローブチップが記載されている。また、電圧プローブチップのセンサ電極表面、および半導体チップの表面に比誘電率４のシリケートガラス層が形成された構成が記載されている。
【先行技術文献】
【特許文献】
【０００５】
【特許文献１】特開２００５−３０８７７号公報
【特許文献２】特開２００３−３４４４４８号公報
【発明の概要】
【発明が解決しようとする課題】
【０００６】
しかし、従来、電磁誘導で信号の送受信を行う際に、充分な強度の信号を得るためには、インダクタを大きくする必要があり、インダクタを配置するための必要面積が大きくなってしまう。とくに、多数のパッドに対応する多数のインダクタを設ける場合、インダクタを配置するための必要面積が非常に大きくなってしまう。
【課題を解決するための手段】
【０００７】
本発明によれば、
一面にインダクタが形成された半導体装置に、前記半導体装置の前記インダクタに対応する位置に設けられた外部インダクタを含む外部装置から信号の送受信を行う信号送受信方法であって、
少なくとも前記半導体装置の前記インダクタと前記外部装置の前記外部インダクタとの間に強磁性体の微粒子を含む強磁性体膜を配置し、当該強磁性体膜を介して前記インダクタと前記外部インダクタとを対向配置させる工程と、
前記インダクタと前記外部インダクタとを対向配置させた状態で、前記インダクタと前記外部インダクタとの間で電磁誘導で前記信号の送受信を行う工程と、
を含む信号送受信方法が提供される。
【０００８】
本発明によれば、
基板、前記基板上に設けられた絶縁膜、および前記絶縁膜の前記基板と対向する面と反対側の一面に設けられたインダクタを含む半導体装置と、前記半導体装置の前記インダクタに対応する位置に設けられた外部インダクタを含む外部装置とを対向配置し、少なくとも前記半導体装置の前記インダクタと前記外部装置の前記外部インダクタとの間に強磁性体の微粒子を含む強磁性体膜を配置し、当該強磁性体膜を介して前記インダクタと前記外部インダクタとを対向配置させる工程と、
前記インダクタと前記外部インダクタとを対向配置させた状態で、前記インダクタと前記外部インダクタとの間で電磁誘導で信号の送受信を行う工程と、
を含む半導体装置の製造方法が提供される。
【０００９】
本発明によれば、
基板と、
前記基板上に設けられた絶縁膜と、
前記絶縁膜の前記基板と対向する面と反対側の一面に設けられたインダクタと、
前記絶縁膜上において、少なくとも前記インダクタ上に形成され、強磁性体の微粒子を含む強磁性体膜と、
を含む半導体装置が提供される。
【００１０】
本発明によれば、
一面にインダクタが設けられた半導体装置をテストするためのテスタ装置であって、
基体と、
前記基体の一面に形成され、前記半導体装置の前記インダクタに対応する位置に設けられた外部インダクタと、
少なくとも前記外部インダクタ上に形成され、強磁性体の微粒子を含む強磁性体膜と、
を含むテスタ装置が提供される。
【００１１】
この構成によれば、インダクタを配置するための必要面積を小さく保ちつつ、電磁誘導で信号の送受信を良好に行うことができる。
【００１２】
なお、以上の構成要素の任意の組合せ、本発明の表現を方法、装置などの間で変換したものもまた、本発明の態様として有効である。
【発明の効果】
【００１３】
本発明によれば、半導体装置に形成されたインダクタと外部インダクタとの間で電磁誘導で信号の送受信を行う際に、両者の間に強磁性体膜が介在するため、インダクタ結合係数を向上させることができる。これにより、インダクタを小さくしても、電磁誘導で信号の送受信を良好に行うことができる。そのため、インダクタを配置するための必要面積を小さく保ちつつ、電磁誘導で信号の送受信を良好に行うことができる。
【図面の簡単な説明】
【００１４】
【図１】本発明の実施の形態における半導体装置の製造手順を示す工程断面図である。
【図２】本発明の実施の形態における半導体装置の製造手順を示す工程断面図である。
【図３】図１に示した基板の平面図である。
【図４】図３の拡大図である。
【図５】図２（ａ）の拡大断面図である。
【図６】図２（ｂ）の拡大断面図である。
【図７】本発明の実施の形態における半導体装置の半導体チップ形成領域の一例を示す平面図である。
【図８】本発明の実施の形態における半導体装置の半導体チップ形成領域の他の例を示す平面図である。
【図９】本発明の実施の形態におけるテスタ装置の構成を示す断面図である。
【図１０】本発明の実施の形態における半導体装置の他の例を示す断面図である。
【発明を実施するための形態】
【００１５】
（第１の実施の形態）
以下、本発明の実施の形態について、図面を用いて説明する。尚、すべての図面において、同様な構成要素には同様の符号を付し、適宜説明を省略する。本実施の形態において、外部装置がテスタ装置で、ウェハレベルで半導体装置のチップ内部回路のテストを行う際に、テスタ装置から、電磁誘導で種々のテスト信号を送受信する場合を例として説明する。
【００１６】
図１および図２は、本実施の形態における半導体装置の製造手順を示す工程断面図である。
半導体装置１００は、基板１０２（ウェハ）を含む。本実施の形態において、基板１０２の一面には、複数のインダクタが形成されたインダクタ形成領域１１０が設けられている。このような構成の半導体装置１００に、半導体装置１００の各インダクタに対応する位置に設けられ、電磁誘導で信号の送受信を行う複数の外部インダクタを含むテスタ装置２００から信号の送受信を行う。
【００１７】
図３は、図１に示した基板１０２の平面図、図４は、図３の拡大図である。図３では、基板１０２の外縁のみを示す。図４に示すように、基板１０２の一面には、複数の半導体チップ形成領域１０４と、半導体チップ形成領域１０４の外周に設けられたスクライブライン領域１０６とが形成されている。図４では、４つの半導体チップ形成領域１０４を示しており、スクライブライン領域１０６において、これらの間にはアライメント用のマーク１０８が設けられている。
【００１８】
半導体装置１００の各半導体チップ形成領域１０４内には、チップ内部回路１１８、複数のインダクタ１１４、複数のボンディングパッド１１６および複数の配線（不図示）が設けられる。ボンディングパッド１１６は、後にワイヤボンディングが行われるパッドである。ここで、各ボンディングパッド１１６はチップ内部回路１１８と各配線で接続され、この配線にインダクタ１１４が接続される。インダクタ１１４は、従来の半導体装置において、ウェハレベルで内部回路のテストを行う際にプローブを用いて探針するために設けられていたパッドの代替として設けることができる。インダクタ１１４は、各ボンディングパッド１１６と各チップ内部回路１１８とを接続する複数の配線すべてに設けられていてもよく、また一部の配線には設けられていなくてもよい。また、図示していないが、半導体装置１００は、各インダクタ１１４に対応して設けられた複数の変換回路を含む。また、図示していないが、半導体装置１００は、電源回路を含むことができる。
【００１９】
なお、インダクタ１１４は、外部の装置と信号を送受信するため、半導体装置１００の表面に設けられる。また、ボンディングパッド１１６も、後にワイヤボンディングを行うために、半導体装置１００の表面に設けられる。なお、インダクタ１１４の表面には、たとえばパッシベーション膜等の電磁誘導での信号の送受信に影響を与えない程度の膜が形成されていてもよい。ボンディングパッド１１６は、インダクタ１１４と外部の装置との通信を遮断しない領域に形成される。本実施の形態において、図４に示すとおり、ボンディングパッド１１６は、インダクタ１１４とは、互いに重ならないように配置されている。インダクタ１１４とボンディングパッド１１６とのわずかな重なりは外部の装置との通信を遮断しない範囲で許容される。
【００２０】
一方、変換回路は、インダクタ１１４が外部の装置と送受信する信号を変換するだけなので、半導体装置１００の表面に設けられる必要はない。そのため、変換回路は、たとえばインダクタ１１４と半導体基板の積層方向に重なるように設けることができ、半導体装置１００のサイズの増大を抑えることができる。たとえば、変換回路は、各インダクタ１１４に対応してインダクタ１１４の下層に設けられる。各インダクタ１１４は、対応する変換回路を介してチップ内部回路１１８と電気的に接続されている。変換回路は、チップ内部回路１１８と外部との間で送受信される信号の変復調を行う。また、各ボンディングパッド１１６もチップ内部回路１１８と電気的に接続されている。
【００２１】
ここでは図示していないが、チップ内部回路１１８は、複数のインダクタ１１４に対応する複数のトランジスタを含むことができる。各トランジスタのソース・ドレインの一端は接地されており、他端は電源供給線を介して電源回路に接続される。また、各トランジスタのゲートは、各変換回路を介して各インダクタ１１４に接続される。さらに、各トランジスタのゲートは、各ボンディングパッド１１６にも接続されている。なお、トランジスタと、ボンディングパッド１１６および変換回路との間には、入出力バッファ回路が挿入された構成とすることもできる。
【００２２】
図１および図２に戻り、本実施の形態における半導体装置の製造手順を説明する。
図１（ａ）に示すように、まず、以上で説明した半導体装置１００の基板１０２の一面に形成されたインダクタ形成領域１１０上に強磁性体膜１３０を形成する。強磁性体膜１３０は、たとえばポリエステル等の絶縁膜（ポリマー）中に、強磁性体の微粒子が含まれたテープとすることができる。ここで、強磁性体は、Ｆｅ、Ｃｏ、Ｎｉ等の金属やその合金等とすることができる。強磁性体膜１３０の膜厚は、たとえば、２０μｍから０．２５ｍｍ程度とすることができる。強磁性体膜１３０は、たとえば以下の手順で半導体装置１００上に形成することができる。まず、強磁性体膜１３０の一面に水溶性の糊等の接着剤を塗布し、接着剤が塗布された一面が基板１０２のインダクタ形成領域１１０が形成された一面と接するように強磁性体膜１３０を配置する。そして、図示しないローラ等で強磁性体膜１３０をインダクタ形成領域１１０上に圧接・接着させる。
【００２３】
つづいて、たとえば円周用カッターであるカッター１５０を基板１０２の端に接触させながら、強磁性体膜１３０を基板１０２の円周部に沿って切断する。これにより、基板１０２上に基板１０２と同じ大きさの強磁性体膜１３０を形成することができる（図１（ｂ））。
【００２４】
次に、バックグラインダ等の装置で基板１０２の一面と反対側の裏面を研磨して、基板１０２を所定の厚さにする。たとえば、基板１０２の厚さは、２００μｍ〜４００μｍ程度とすることができる（図１（ｃ））。
【００２５】
この後、テスタ装置２００の外部インダクタと半導体装置１００のインダクタ形成領域１１０のインダクタとの間で信号の送受信を行う。本実施の形態において、テスタ装置２００は、複数のテストチップ（テストを行うためのチップ）２０１を含む。各テストチップ２０１は、半導体装置１００の各半導体チップ形成領域１０４に対応する大きさに形成されている。
【００２６】
まず、半導体装置１００を載置台１５２上に載置し、テスタ装置２００を半導体装置１００に近づける。次いで、テスタ装置２００の外部インダクタと半導体装置１００のインダクタ形成領域１１０のインダクタとの間で信号の送受信を行う（図２（ａ）、図２（ｂ））。
【００２７】
図５および図６は、それぞれ、図２（ａ）および図２（ｂ）の拡大断面図である。ここでは、半導体装置１００の一の半導体チップ形成領域１０４（図４参照）およびテスタ装置２００の一のテストチップ２０１を部分的に示す。
【００２８】
半導体装置１００のインダクタ形成領域１１０は、基板１０２上に設けられた絶縁膜１１２と、絶縁膜１１２の基板１０２と対向する面と反対側の一面に設けられた複数のインダクタ１１４を有している。また、図示していないが、ボンディングパッド１１６も絶縁膜１１２の一面に設けられる。つまり、本実施の形態において、強磁性体膜１３０は、ボンディングパッド１１６上にも設けられている。テスタ装置２００のテストチップ２０１は、基体２０２と、半導体装置１００の複数のインダクタ１１４に対応する位置にそれぞれ設けられた複数の外部インダクタ２０４とを含む。
ここで、絶縁膜１１２は内部回路、変換回路、電源回路など回路を構成するトランジスタ１６８を含む絶縁層１６５と、主に配線を含む絶縁層１６６とを含む。絶縁層１６５および絶縁層１６６はともにたとえば複数の絶縁層の積層膜等、複数の絶縁膜で形成されていてもよく、それぞれ回路構成上必要な配線を絶縁層中に有している。インダクタ１１４は絶縁層１６６の最表層に、ボンディングパッド１１６は絶縁層１６６の最表層または絶縁層１６６上に形成される。
【００２９】
まず、テスタ装置２００の外部インダクタ２０４がそれぞれ半導体装置１００のインダクタ１１４に対向するように、テスタ装置２００を半導体装置１００に近づける。このとき、半導体装置１００のインダクタ１１４とテスタ装置２００の外部インダクタ２０４との間に強磁性体膜１３０が配置され、強磁性体膜１３０を介して各インダクタ１１４と各外部インダクタ２０４とが対向配置される。また、ここで、各インダクタ１１４と各外部インダクタ２０４とは、それぞれ強磁性体膜１３０に接して対向配置させることができる。ここで、強磁性体膜１３０は、緩衝材としても機能させることができる。また、強磁性体膜１３０は、全面にわたって、略均等な膜厚を有する構成とすることができる。これにより、各インダクタ１１４と各外部インダクタ２０４との間隔を安定的に一定にすることができる。
【００３０】
この状態で、テスタ装置２００の外部インダクタ２０４からそれぞれ所定の周波数を有する電波を半導体装置１００に出力する。ここで、外部インダクタ２０４からはテスト信号等が出力される。
【００３１】
半導体装置１００のインダクタ１１４は、外部インダクタ２０４から出力された信号を交流の電気信号に変換する。変換回路は、インダクタ１１４が変換した交流の電気信号を復調し、チップ内部回路１１８に供給する。また、半導体装置１００からテスタ装置２００へ信号を出力する際は、チップ内部回路１１８から供給される電気信号を変換回路が変調し、インダクタ１１４に供給する。インダクタ１１４は、変調された信号を電波としてテスタ装置２００の対応する外部インダクタ２０４に出力する。これにより、半導体装置１００とテスタ装置２００との間で信号の送受信が行われる。
【００３２】
半導体装置１００とテスタ装置２００との間で信号の送受信が終了した後、強磁性体膜１３０を除去する。強磁性体膜１３０の除去は、以下の手順で行うことができる。まず、テープ剥離装置（不図示）において、半導体装置１００の基板１０２を真空チャックで固定した状態で、強磁性体膜１３０上に、強磁性体膜１３０を剥離させるための剥離テープ１４０を接着させる（図２（ｃ））。つづいて、剥離テープ１４０を強磁性体膜１３０とともに半導体装置１００から剥離する（図２（ｄ））。この後、純水または有機溶剤等で半導体装置１００を洗浄して乾燥させる。以上により、ウェハテストが終了する。
【００３３】
この後、たとえば、スクライブライン領域１０６に沿って半導体装置１００を切断して、半導体チップ形成領域１０４をチップ化する。次いで、各半導体チップ形成領域１０４の各ボンディングパッド１１６と外部の端子とをボンディングワイヤにより接続する等して半導体チップを形成することができる。
【００３４】
本実施の形態において、テスタ装置２００の外部インダクタ２０４と半導体装置１００のインダクタ１１４との間で電磁誘導で信号の送受信を行う際に、外部装置との通信を遮断しない領域にボンディングパッド１１６を有するため、両者の間のインダクタ結合係数を向上させることができる。また、外部インダクタ２０４と半導体装置１００のインダクタ１１４との間に強磁性体膜１３０を介在させることにより、さらにインダクタ結合係数を向上することができる。これにより、インダクタを小さくしても、電磁誘導で信号の送受信を良好に行うことができる。そのため、インダクタを配置するための必要面積を小さく保ちつつ、電磁誘導で信号の送受信を良好に行うことができる。
【００３５】
また、強磁性体膜１３０を緩衝材として機能させることもできる。そのため、テスタ装置２００の外部インダクタ２０４と半導体装置１００のインダクタ１１４とが強磁性体膜１３０と接するようにすることができる。これにより、各インダクタ１１４と各外部インダクタ２０４との間隔を安定的に一定にすることができる。
【００３６】
（第２の実施の形態）
本実施の形態においては、信号の送受信終了後も、強磁性体膜１３０が半導体装置１００上に部分的に残った構成とすることができる。
【００３７】
図７は、本実施の形態における半導体装置１００の半導体チップ形成領域１０４（図４参照）の一例を示す平面図である。この例では、強磁性体膜１３０は、半導体装置１００上のボンディングパッド１１６が形成された領域にのみ選択的に形成されていない。たとえば、強磁性体膜１３０は、ボンディングパッド１１６を露出させる開口部１３２を有する構成とすることができる。これにより、強磁性体膜１３０を残したまま、ボンディングパッド１１６と外部の端子とをボンディングワイヤにより接続することができる。
【００３８】
このような構成の強磁性体膜１３０は、たとえば、半導体装置１００上の全面に強磁性体膜１３０を形成した後に、強磁性体膜１３０を選択的に除去して、開口部１３２を形成して得ることができる。強磁性体膜１３０の選択的な除去は、たとえば、フォトレジストをマスクとしたウェットエッチングにより行うことができる。ここで、たとえば、強磁性体膜１３０は、半導体装置の多層配線構造を形成した後に、その上面に形成するパッシベーション膜に強磁性体を混合して形成することができる。この場合も、強磁性体膜１３０の選択的な除去は、たとえば、フォトレジストをマスクとしたウェットエッチングにより行うことができる。強磁性体膜１３０の選択的な除去は、テスタ装置２００の外部インダクタ２０４と半導体装置１００のインダクタ１１４との間の信号の送受信の前または後のいずれで行ってもよい。
【００３９】
図８は、本実施の形態における半導体装置１００の半導体チップ形成領域１０４（図４参照）の他の例を示す平面図である。この例では、強磁性体膜１３０は、半導体装置１００上のインダクタ１１４が形成された領域にのみ選択的に形成されている。なお、ここでは、説明のためにインダクタ１１４も図示しているが、実際は、インダクタ１１４は強磁性体膜１３０で覆われている。このような構成においても、ボンディングパッド１１６が露出しているので、強磁性体膜１３０を残したまま、ボンディングパッド１１６と外部の端子とをボンディングワイヤにより接続することができる。
【００４０】
このような構成の強磁性体膜１３０は、たとえば、半導体装置１００上の全面に強磁性体膜１３０を形成した後に、強磁性体膜１３０を選択的に除去して得ることができる。この場合も強磁性体膜１３０の選択的な除去は、たとえば、フォトレジストをマスクとしたウェットエッチングにより行うことができる。ここで、たとえば、強磁性体膜１３０は、半導体装置の多層配線構造を形成した後に、その上面に形成するパッシベーション膜に強磁性体を混合して形成することができる。この場合も、強磁性体膜１３０の選択的な除去は、たとえば、フォトレジストをマスクとしたウェットエッチングにより行うことができる。強磁性体膜１３０の選択的な除去は、テスタ装置２００の外部インダクタ２０４と半導体装置１００のインダクタ１１４との間の信号の送受信の前または後のいずれで行ってもよい。
【００４１】
本実施の形態においても、第１の実施の形態と同様の効果を得ることができる。
【００４２】
（第３の実施の形態）
本実施の形態においては、テスタ装置２００側に強磁性体膜１３０が設けられた構成とすることができる。
図９は、本実施の形態におけるテスタ装置２００の構成を示す断面図である。ここでは、テスタ装置２００は、外部インダクタ２０４の表面に形成された強磁性体膜１３０を含む。このような構成としても、第１の実施の形態および第２の実施の形態と同様の効果を得ることができる。また、強磁性体膜１３０は、テスタ装置２００側と半導体装置１００側の両方にそれぞれ設けられた構成とすることもできる。
【００４３】
以上、図面を参照して本発明の実施形態について述べたが、これらは本発明の例示であり、上記以外の様々な構成を採用することもできる。
【００４４】
以上の実施の形態において、図１（ｃ）を参照して説明した基板１０２の裏面を研磨する手順は、省略することもできる。この場合の図２（ｂ）に対応する半導体装置１００の断面図を図１０に示す。この場合も、図２に示したのと同様にして、半導体装置１００とテスタ装置２００との間の信号の送受信を行うことができる。
【００４５】
さらに、以上の実施の形態においては、テスタ装置２００が、半導体装置１００の半導体チップ形成領域１０４に対応する複数のテストチップ２０１を有する例を示したが、テスタ装置２００は、半導体装置１００の一部の半導体チップ形成領域１０４にのみ対応する数のテストチップ２０１を含む構成とすることもできる。この場合、テスタ装置２００をずらして、半導体装置１００の各半導体チップ形成領域１０４のテストを順に行うようにすることができる。
【００４６】
また、以上の実施の形態においては、ウェハレベルで半導体装置のチップ内部回路のテストを行う例を示した。しかし、チップ化後に、各半導体チップのチップ内部回路のテストを行う例に適用することもできる。
【００４７】
さらに、強磁性体膜１３０は、半導体装置１００およびテスタ装置２００のいずれにも形成せず、独立したシートとすることもできる。この場合、半導体装置１００とテスタ装置２００との間で電磁誘導で信号の送受信を行う際に、強磁性体膜１３０を半導体装置１００のインダクタ１１４とテスタ装置２００の外部インダクタ２０４との間に配置するようにすることができる。
【符号の説明】
【００４８】
１００ 半導体装置
１０２ 基板
１０４ 半導体チップ形成領域
１０６ スクライブライン領域
１０８ マーク
１１０ インダクタ形成領域
１１２ 絶縁膜
１１４ インダクタ
１１６ ボンディングパッド
１１８ チップ内部回路
１３０ 強磁性体膜
１３２ 開口部
１４０ 剥離テープ
１５０ カッター
１５２ 載置台
１６６ 絶縁層
１６５ 絶縁層
１６８ トランジスタ
２００ テスタ装置
２０１ テストチップ
２０２ 基体
２０４ 外部インダクタ
【図１】
2010160142.tif 000003
【図２】
2010160142.tif 000004
【図３】
2010160142.tif 000005
【図４】
2010160142.tif 000006
【図５】
2010160142.tif 000007
【図６】
2010160142.tif 000008
【図７】
2010160142.tif 000009
【図８】
2010160142.tif 000010
【図９】
2010160142.tif 000011
【図１０】
2010160142.tif 000012